(57)【要約】【課題】簡単な操作で塗料供給容器に対する着脱が容易なフィルタ装置並びにこのフィルタ装置を塗料供給容器に取り付けたスプレイガン型の塗装装置を提供する。【解決手段】シート状又は網状で塗料を濾過させるフィルタと、前記フィルタに重ね合わせて設けられ前記開口部から挿入することにより塗料供給容器の縮径部に前記フィルタと共に取り付けられるフィルタ保持部材とから成り、前記フィルタ保持部材を、中央支持部と、この中央支持部から放射状に設けられた梁部材と、この梁部材の外側に前記筒部の内部形状に合わせて設けられた前記フィルタを取り付け前記縮径部によって保持される枠部材と、前記中央支持部から上方へ向かって突設された摘み部材とで構成することで解決した。【選択図】図１
2020108871.tif 000002
【特許請求の範囲】
【請求項１】
塗料を流し込む開口部から筒部を経て縮径する縮径部を有する重力式の塗料供給容器に対して着脱自在に取り付けられるフィルタ装置であって、
シート状又は網状で塗料を濾過させるフィルタと、前記フィルタに重ね合わせて設けられ前記開口部から挿入することにより前記塗料供給容器の前記縮径部に前記フィルタと共に取り付けられるフィルタ保持部材と、を有し、
前記フィルタ保持部材は、中央支持部と、この中央支持部から放射状に設けられた梁部材と、この梁部材の外側に前記筒部の内部形状に合わせて設けられた前記フィルタを取り付け前記縮径部によって保持される枠部材と、前記中央支持部から上方へ向かって突設された摘み部材と、を有することを特徴とする、フィルタ装置。
【請求項２】
前記シート状のフィルタは、前記塗料供給容器の内径より大きな外径を有する折り畳み可能な濾過シートであって、当該フィルタを下側に重ねて前記枠部材を前記筒部に挿入する際に当該筒部の内側と前記枠部材の外側との間に挟まれて折れ曲がり、前記枠部材と共に前記筒部内に挿入され前記縮径部で保持されるものであり、使い捨てであることを特徴とする、請求項１に記載のフィルタ装置。
【請求項３】
前記網状のフィルタは、前記フィルタ保持部材の枠部材及びまたは梁部材に固着されることを特徴とする、請求項１に記載のフィルタ装置。
【請求項４】
前記梁部材は、複数設けられることを特徴とする、請求項１に記載のフィルタ装置。
【請求項５】
縮径部を有する重力式の塗料供給容器と、前記塗料供給容器の縮径部に取り付けられた請求項１〜４のいずれか１項に記載のフィルタ装置と、を有することを特徴とする、塗装装置。
【発明の詳細な説明】
【技術分野】
【０００１】
本発明は、重力式の塗料供給容器を使用するスプレイガン型の塗装装置において、塗料供給容器に着脱自在に取り付けられるフィルタ装置並びにこのフィルタ装置を用いたスプレイガン型の塗装装置に関する。
【背景技術】
【０００２】
重力式の塗料供給容器を使用するスプレイガン型の塗装装置において、目詰まり防止と、塗装品質の向上を図るため、塗料供給容器に塗料のフィルタ装置を設ける提案がされている。特許文献１には、開口部から円筒部に続いて縮径部を有する塗料供給容器を円筒部と縮径部とに分解可能に構成し、縮径部の入口に設けたフランジの中央に金属メッシュ（金網）製のフィルタを、縮径部から円筒部を取り外した状態で交換可能となるように取り付けたフィルタ装置が記載されている。
【先行技術文献】
【特許文献】
【０００３】
【特許文献１】特表２００８−５２０４５２号公報
【発明の概要】
【発明が解決しようとする課題】
【０００４】
重力式の塗料供給容器に取り付けられるスプレイガン型の塗装装置は、取り扱いが容易で手作業による塗装には好都合のものであるが、作業中にたびたび塗料を注ぎ足す必要があり、そのフィルタ装置には、塗料供給容器に対して簡単に着脱することが求められる。
【０００５】
しかし、上記特許文献１のフィルタ装置は、金属メッシュのフィルタを塗料供給容器に取り付けるために、塗料供給容器を円筒部と縮径部とに分解する必要がある。そして、縮径部のフランジに金属メッシュのフィルタを取り付ける作業それ自体が簡単ではない。
【０００６】
本発明は、簡単な操作で塗料供給容器に対する取り付け、取り外しが容易なフィルタ装置、並びにこのフィルタ装置を塗料供給容器に取り付けたスプレイガン型の塗装装置を提供することを目的としている。
【課題を解決するための手段】
【０００７】
上記目的を達成するために、本願請求項１に係る発明は、塗料を流し込む開口部から筒部を経て縮径する縮径部を有する重力式の塗料供給容器に対して着脱自在に取り付けられるフィルタ装置において、シート状又は網状で塗料を濾過させるフィルタと、前記フィルタに重ね合わせて前記開口部から挿入することにより前記塗料供給容器に前記フィルタと共に取り付けられるフィルタ保持部材と、を有し、前記フィルタ保持部材は、中央支持部と、この中央支持部から放射状に設けられた梁部材と、この梁部材の外側に前記筒部の内部形状に合わせて設けられた前記フィルタを取り付け前記縮径部によって保持される枠部材と、前記中央支持部から上方へ向かって突設された摘み部材と、を有することを特徴とする。
【０００８】
その際に、請求項２に係る本願発明は、前記シート状のフィルタを、前記塗料供給容器の内径より大きな外径を有する折り畳み可能な濾過シートとし、当該フィルタを下側に重ねて前記枠部材を前記筒部に挿入する際に当該筒部の内側と前記枠部材の外側との間に挟まれて折れ曲がり、前記枠部材とともに前記筒部内に挿入され前記縮径部で保持される使い捨てのものとしたことを特徴とする。
【０００９】
さらに、本願請求項３に係る発明は、前記網状のフィルタは１回使用の使い捨てではなく、シンナーなどの溶剤で洗うことにより目詰まりを取って繰り返し使用するものであり、塗料供給用容器に対する装着作業が容易であるという利点がある。
【００１０】
さらに、本願請求項４に係る発明は、前記梁部材を複数設けることにより、摘み部を持ってのフィルタの着脱作業が容易であるという利点がある。
【００１１】
そして、本願請求項５に係る発明は、重力式の塗料供給容器と、前記塗料供給容器に取り付けられた請求項１〜４のいずれか１項に記載のフィルタ装置と、を有することを特徴とする塗装装置である。
【発明の効果】
【００１２】
請求項１に係るフィルタ装置によれば、指で摘み部材を摘まんで、フィルタに枠部材を重ね合わせた状態でフィルタ装置を塗料供給容器内へ挿入することにより、フィルタ装置が塗料供給容器に取り付けられる。また、フィルタに重ね合わせた枠部材は、筒部を通過した後、縮径部との間でフィルタを圧縮した状態で挟持し、フィルタを介して縮径部に摩擦保持されるので、ネジ固定や係合構造に頼ることなく、塗料供給容器内でフィルタ装置の位置と姿勢を自己保持されるものである。したがって、本発明によれば、簡単な操作で塗料供給容器に対する取り付けが可能なフィルタ装置を提供することができる。
【００１３】
請求項２のフィルタ装置では、フィルタを重ね合わせた枠部材が筒部に隣接する筒部との直径差が小さい位置で摩擦保持されるので、塗料供給容器内でフィルタ保持部材が位置ずれした際の摩擦力の低下が少なくなり、塗料供給容器内でのフィルタ装置の姿勢の安定性が高められる。
【００１４】
請求項３のフィルタ装置では、フィルタは１回だけの使い捨てではないが、フィルタを塗料供給装置へ装着しやすいという利点がある。
【００１５】
請求項４のフィルタ装置では、梁部材に対する摘み部材の取付状態が安定し、着脱作業がしやすいという利点がある。
【００１６】
請求項５の発明によれば、塗料供給容器にフィルタ装置を容易に取り付け可能なスプレイガン型の塗装装置を提供することができる。
【図面の簡単な説明】
【００１７】
【図１】本発明の実施例１に係るフィルタ装置を塗料供給容器に取り付けた塗装装置の側面図である。
【図２】本発明の実施例１に係るフィルタ装置を塗料供給容器に取り付けた塗装装置の説明図であって、（ａ）は塗装装置の平面図、（ｂ）は塗装装置のスプレイ動作の説明図である。
【図３】本発明の実施例１に係るフィルタ装置を取り付けた塗料供給容器の側断面図である。
【図４】図３に示すフィルタ保持部材の構成の説明図であって、（ａ）はフィルタ保持部材の平面図、（ｂ）はフィルタ保持部材の側断面図である。
【図５】図３に示すフィルタの構成の説明図であって、（ａ）はフィルタの平面図、（ｂ）はフィルタの側面図、（ｃ）はフィルタをフィルタ保持部材に重ねて塗料供給容器に挿入した状態の側面図である。
【図６】本発明の実施例２に係るフィルタ装置の説明図であって、（ａ）はフィルタ保持部材の平面図、（ｂ）はフィルタ保持部材の側面図である。
【図７】本発明の実施例３に係るフィルタ装置の斜視図である。
【００１８】
以下では、添付した図面を参照して、本発明の好ましい実施例に係るフィルタ装置、このフィルタ装置を取り付けた塗料供給容器、及びこの塗料供給容器を取り付けたスプレイガン型の塗装装置を説明する。
【実施例１】
【００１９】
図１、図２（ａ）に示すように、塗装装置１は、スプレイガン部３と、このスプレイガン部３に取り付けられた塗料供給容器２と、この塗料供給容器２に取り付けられたフィルタ装置４とを有する。塗装装置１は、塗料供給容器２から供給された塗料をスプレイガン部３に供給し、このスプレイガン部３でエアスプレイ方式噴霧法により霧化して、前方の塗装対象物を塗装するものである。スプレイガン部３は、公知構成のものであり、塗料供給容器２も公知構成のものであるが、塗料供給容器２は実施例のものは円筒状でスプレイガン部３に向けて縮径部２ｃが設けられた重力式のもので、内部に収容した塗料を重力を利用してその供給口へ送るものである。塗装装置１を用いて塗装する場合における塗装品質の向上、目詰まり等のトラブル回避を目的として、塗料供給容器２には、フィルタ装置４が着脱可能に取り付けられている。
【００２０】
このフィルタ装置４は、塗料供給容器２の縮径部２ｃと、フィルタ５と、このフィルタ５を縮径部２ｃに着脱可能に取り付けるフィルタ保持部材６とで構成されている。フィルタ５は、筒部（円筒部２ｂ）の内側の形状に合わせた円盤シート状のもので、実施例１のものは、薄い和紙や、長尺のセルロース繊維を用いた不織布などを用いている。フィルタ保持部材６は、中央支持部６ａと、この中央支持部６ａから放射状に外方向に向けて設けられた４本の梁部材６ｂ、６ｂ・・と、この梁部材６ｂ、６ｂ・・の外側に前記筒部（円筒部２ｂ）の内部形状に合わせて設けられたところの前記フィルタ５を取り付け前記縮径部２ｃによって保持される枠部材６ｃと、前記中央支持部６ａから上方へ向かって突設された摘み部材６ｄと、を有する。さらに、摘み部材６ｄの上端部には摘み部６ｅが、摘み部材６ｄに設けた雄ネジ部６ｆを摘み部６ｅに設けた雌ネジ部６ｇにネジ着させることにより、取り付けられている。
【００２１】
図３に示すように、塗料供給容器２は、上部の開口部２ａから流し込んで供給された塗料Ｐを貯留し、塗料Ｐをフィルタ装置４で濾過させ、この濾過した塗料Ｐ’を、下部の供給部２ｅから供給して、図１、図２（ａ）に示すスプレイガン部３のガン本体１１に供給する。フィルタ装置４は、円筒部２ｂに貯留された塗料Ｐが縮径部２ｃへ移動する過程で、フィルタ５の繊維組織により、塗料Ｐから塗料粒子等の夾雑物を漉し取って除去すると共に、目詰まりを防止し、塗料Ｐ中の成分の分布状態を均一なものに近づけて、霧化した塗料Ｐの粒子のばらつきを小さくする。
【００２２】
図１、図２（ａ）に示すように、塗料供給容器２には、塗料Ｐの充填後、スプレイガン部３を傾けた際に塗料が外へこぼれないように、蓋２ｈが装着されている。蓋２ｈは、開口部２ａに挿入したスリーブ２ｉと開口部２ａの内壁面との摩擦力によって塗料供給容器２に保持されているが、ネジ着や係合その他の固定方法であってもよい。塗料Ｐの充填、及びフィルタ装置４の着脱は、図３に示すように、蓋２ｈを開口部２ａから取り外して実行される。塗料供給容器２は、図２（ａ）に示すように、供給部２ｅに対して回転自在に設けられたナット２ｄをガン本体１１の連結ネジ１１ｅに締め付けることにより、スプレイガン部３のガン本体１１に接続されている。図１に示すように、エアコンプレッサ１６により加圧され、圧力調整弁１５により圧力を調整された加圧空気は、ガン本体１１の空気供給口１４を通じてガン本体１１へ供給される。
【００２３】
図２（ｂ）に示すように、塗料供給容器２から取り出された塗料Ｐ’は、供給部２ｅを通じて塗料ノズル１８の貯留部１８ａへ流れ込む。一方、空気供給口１４へ供給された加圧空気は、ガン本体１１内の流路１１ｃから塗料ノズル１８の空気噴射口１８ｃを通じて前方へ噴き出す。
【００２４】
図１に示すように、ガン本体１１の中間位置には、回転軸１２ａを中心にして回転自在な引き金１２が設けられている。引き金１２は、加圧空気のＯＮ／ＯＦＦ弁１１ａと塗料ノズル１８のニードル弁１１ｂとをそれぞれ２段階に動作させる。図２（ｂ）に示すように、引き金１２の操作の１段階目では、塗料ノズル１８のニードル弁１１ｂが閉じられたまま、加圧空気のＯＮ／ＯＦＦ弁１１ａが開いて、加圧空気のみが塗料ノズル１８の空気噴射口１８ｃから前方へ噴射され、塗料ノズル１８の出口１８ｂが減圧する。引き金１２の２段階目では、加圧空気が空気噴射口１８ｃから噴射されている状態で塗料ノズル１８のニードル弁１１ｂが開かれる。これにより、貯留部１８ａの塗料Ｐ’が塗料ノズル１８の出口１８ｂの減圧に駆動されて出口１８ｂへ吸引される。塗料ノズル１８の出口１８ｂを流れる塗料Ｐ’は、空気噴射口１８ｃから噴射された加圧空気と混合して霧化し前方へ噴射される。
【００２５】
ガン本体１１の先端部には、空気キャップ１３が角度及び軸方向位置を調整可能に設けられている。空気キャップ１３には、中心の丸孔１３ａを上下に挟んで一対の角孔１３ｂが形成されている。引き金１２の操作の２段階目において、エアコンプレッサ１６からガン本体１１へ送り込まれた空気は、中心の丸孔１３ａへ進んで塗料Ｐ’を霧化する空気と、一対の角孔１３ｂへ進んで塗料Ｐ’のスプレイパターンを調整する空気とに分かれる。丸孔１３ａから前方へ噴射される霧化した塗料Ｐ’の空気流の側面に対して角孔１３ｂを通じて空気流が吹き付けられることにより、塗料Ｐ’のスプレイパターンが調整される。
【００２６】
図１に示すように、塗料供給容器２には、本発明の実施例１に係るフィルタ装置４が取り付けられている。図４（ｂ）に示すように、フィルタ保持部材６は、枠部材６ｃと摘み部材６ｄとを有する。枠部材６ｃは、フィルタ５に重ね合わせて開口部２ａから下方へ挿入され、フィルタ５を介して縮径部２ｃに当接して塗料供給容器２内に保持される。摘み部材６ｄは、枠部材６ｃの中央から開口部２ａへ向かって突出し、開口部２ａを通じて上方から摘むことが可能である。塗料供給容器２にフィルタ装置４を取り付ける際には、フィルタ保持部材６の摘み部材６ｄの摘み部６ｅを摘まんだまま、枠部材６ｃの外周が縮径部２ｃに当接するまでフィルタ装置４を塗料供給容器２内に挿入することができる。一方、塗料供給容器２からフィルタ装置４を取り外す際には、開口部２ａから指を挿入して摘み部材６ｄの摘み部６ｅを摘まんでフィルタ装置４を塗料供給容器２内から上方へ抜き取ることができる。
【００２７】
フィルタ保持部材６は、中央支持部６ａの外側の複数位置から外方向に放射状に伸びる４本の梁部材６ｂを有する。梁部材６ｂは、９０度ごとの間隔で枠部材６ｃに連絡する十字型に形成されたものである。このため、フィルタ保持部材６は、少ない部品点数で軽量に構成され、塗料供給容器２内の塗料Ｐの移動を妨げ難い。
【００２８】
図３に示すように、塗料供給容器２にフィルタ装置４を取り付ける際には、塗料供給容器２の開口部２ａを囲む縁部の上面２ｇにフィルタ５を置き、開口部２ａ上でフィルタ保持部材６の枠部材６ｃを重ね合わせ、この状態で摘み部材６ｄの摘み部６ｅを持ってフィルタ保持部材６を塗料供給容器２の開口部２ａへ上方から押し込む。これに伴って、一点鎖線で示すように、フィルタ５の縁側５ａが枠部材６ｃの外周で折れ曲がって起立し、開口部２ａの内周面に摺接する。フィルタ保持部材６は、塗料供給容器２の内周面に摺接するフィルタ５と一体に円筒部２ｂを滑らかに通過した後、枠部材６ｃの外周と縮径部２ｃとの間にフィルタ５の折れ曲がった部分を圧接した状態で、枠部材６ｃがフィルタ５を介して縮径部２ｃに摩擦保持される。これにより、フィルタ装置４は、ネジや係合構造に頼ることなく、下方への押し下げに伴う軽い食いつき感を持って塗料供給容器２へ取り付けられる。この「フィルタ５の折れ曲がった部分が圧接された状態」によって、塗料供給容器２内でフィルタ装置４の位置と姿勢が自己保持されるので、塗料供給容器２に衝撃や傾きが作用しても、フィルタ装置４が塗料供給容器２内で傾いたり、倒れたりし難くなっている。一方、塗料供給容器２に取り付けられたフィルタ装置４を取り外す際には、塗料供給容器２の開口部２ａから挿入した指で摘み部材６ｄの摘み部６ｅを摘まんで上方へ引き上げることで、枠部材６ｃによるフィルタ５の折れ曲がった部分の圧接が速やかに解除されて、塗料供給容器２内から上方へフィルタ装置４（少なくともフィルタ保持部材６）を抵抗少なく簡単に取り出すことができる。
【００２９】
図３に示すように、フィルタ保持部材６の枠部材６ｃは、円筒部２ｂを通過して縮径部２ｃの円筒部２ｂに隣接する深さ位置でフィルタ５を介して塗料供給容器２の縮径部２ｃに圧接している。このため、枠部材６ｃは、縮径部２ｃの対向する斜面を外側へ押し広げるくさび効果で縮径部２ｃの内壁にフィルタ５を強く押し付けた状態で、フィルタ５を介して縮径部２ｃに摩擦保持される。また、梁部材６ｂと枠部材６ｃは、金属板材料の一例であるステンレス板を打ち抜いて一体に形成され、弾性的に撓んだ状態でフィルタ５を介して縮径部２ｃに当接可能なものである。このため、梁部材６ｂ及び枠部材６ｃは、一体にばね部材として機能してフィルタ５を縮径部２ｃの内壁面に押し付けて、フィルタ５を介した枠部材６ｃと縮径部２ｃの間の摩擦力を高めている。すなわち、上述した枠部材６ｃによるフィルタ５の圧縮に加えて、縮径部２ｃの対向する斜面と、梁部材６ｂ及び枠部材６ｃの弾性的な撓みが相乗的に作用して、塗料供給容器２内でのフィルタ装置４の姿勢の自己保持力を高めている。これにより、スプレイガン部３を傾けたときにフィルタ装置４が塗料供給容器２内で倒れたり、塗料を回収するために蓋２ｈを開けて開口部２ａを下に向けた際にフィルタ装置４が外へ脱落したり、スプレイガン部３をぶつけて衝撃が作用したときにフィルタ装置４が塗料供給容器２内で位置ずれしたりし難くなっている。
【００３０】
図５（ｂ）に示すように、フィルタ５は、フィルタ保持部材６の枠部材６ｃの外縁で上方へ折れ曲がって、図５（ｃ）に示すように、フィルタ５の一周の縁側５ａを立ち上げた状態で、図３に示すように、塗料供給容器２の開口部２ａから円筒部２ｂへ移動する。このとき、枠部材６ｃと円筒部２ｂとの隙間が狭いため、フィルタ５の縁側５ａが円筒部２ｂの内側に摺接し、摺接抵抗によりフィルタ５を枠部材６ｃに密着させた状態で枠部材６ｃが縮径部２ｃへ案内される。そして、縮径部２ｃでは、上述したように、梁部材６ｂ及び枠部材６ｃが一体にばね部材として機能して、枠部材６ｃと縮径部２ｃとの間にフィルタ５を挟み込む。
【００３１】
図５（ａ）に示すように、フィルタ５は、折り曲げ自在であって塗料Ｐ’を通過させ得るシート状材料の一例である濾紙をフィルタ保持部材６の枠部材６ｃよりも大きな直径の円形にカットして製作される。フィルタ５は、使い捨てであって、塗料供給容器２が洗浄される毎に新品交換される。ここでは、厚さ０．０３ｍｍの濾紙を１枚使用したが、厚さは任意であり、複数枚を重ねて使用しても良い。
【００３２】
フィルタ５は、塗料による目詰まりを避け、塗料物質を漉し取らないために、繊維組織が粗いものが望ましい。フィルタ５が糸くずや繊維を塗料Ｐ’中に放出しないように、フィルタ５の材料としては、薄い和紙や、長尺のセルロース繊維を用いた不織布や、化学繊維のガーゼ等を使用することができる。
【００３３】
フィルタ５は、使用に伴って種々の夾雑物や塗料物質を取り込んで目詰まりが進行するため、仮に洗浄しても、使用前ほどには濾過抵抗が小さくならない。そのため、フィルタ５の梁部材６ｂ、６ｂ、６ｂ、６ｂの間の空間部６ｈ、６ｈ、６ｈ、６ｈを通過した塗料Ｐ’は供給部２ｅを通じて塗料ノズル１８の貯留部１８ａへ流れ込み難くなって、空気噴射口１８ｃから噴射される塗料のスプレイパターンが不安定になる可能性がある。したがって、フィルタ５を使い捨てとして洗浄のたびに新品交換することにより、空気噴射口１８ｃから噴射される塗料のスプレイパターンを安定化させることができる。また、使用済みのフィルタ５は、繊維組織の奥のほうまで塗料物質が浸透しているので、洗浄して再利用しようとすると、大量の洗浄液と時間を費やし、フィルタ保持部材６を塗料供給容器２の洗浄液の処分も問題となる。このため、フィルタ５を使い捨てとして洗浄のたびに新品交換することは経済的合理性がある。
【００３４】
以上説明したように、実施例１の塗装装置１では、塗料供給容器２に対してフィルタ５又はフィルタ装置４を簡単に取り付け／取り外しすることができる。また、枠部材６ｃと縮径部２ｃとの間にフィルタ５を圧縮状態で挟み込むこと、円筒部２ｂに隣接する高さ位置で枠部材６ｃがフィルタ５を押圧すること、及び枠部材６ｃと梁部材６ｂの弾性変形を伴って枠部材６ｃがフィルタ５を押圧することにより、フィルタ５を介した枠部材６ｃと縮径部２ｃとの摩擦力が高められて、フィルタ装置４を塗料供給容器２内に安定して位置保持できる。使用に当たっては、蓋２ｈを塗料供給容器２から外し、塗料供給容器２内へ塗料Ｐを流し込むと、塗料Ｐはフィルタ装置４のフィルタ保持部材６の梁部材６ｂ、６ｂ、６ｂ、６ｂの間の空間部６ｈ、６ｈ、６ｈ、６ｈの間のフィルタ５を通過して濾過されてその一部が濾過済みの塗料Ｐ’となって、図３に示したように、フィルタ装置４のフィルタ５の下側に溜まり、いっぱいになると濾過されない塗料Ｐがフィルタ５の上部に溜まることになる。この状態で蓋２ｈを塗料供給容器２に装着して塗装作業を行うことになる。塗装作業が進むと、フィルタ装置４のフィルタ５の下側の塗料Ｐ’の量が減少するにつれてフィルタ５の上側の塗料Ｐが重力によってフィルタ５を通過して濾過済みの塗料Ｐ’となって、順次供給部２ｅへ供給されて塗装作業がなされる。尚、フィルタ５の圧縮状態は、摘み部材６ｄの摘み部６ｅを摘まんでフィルタ装置４を持ち上げる操作によって直ちに解除される。また、フィルタ装置４を取り外した後の塗料供給容器２内には、フランジ、突起、ねじ孔、金属メッシュ等の洗浄の妨げになるような構造物が少ない。また、使い捨てのフィルタ５を用いて新品交換するので、フィルタ５の洗浄が不要である。したがって、フィルタ装置４の取り付け／取り外し、フィルタ５の取り付け／交換に起因するダウンタイムを減少させて塗装装置１の稼働率を高めることができる。
【実施例２】
【００３５】
図６（ａ）、（ｂ）に示すように、フィルタ装置４を構成する実施例２のフィルタ保持部材７を示す。この実施例２に係るフィルタ保持部材７は、中央支持部材７ａから枠部材７ｃへ９０度間隔で設けた梁部材７ｂ、７ｂ・・のうちの１８０度間隔となる２本の梁部材７ｂ、７ｂの上面にフィルタ８の縁側の８ａ、８ａを保持する挟持片７ｈを一対有している点が実施例１のものと異なっている。その他の摘み部材７ｄと摘み部７ｅ及び雄ネジ部７ｆと雌ネジ部７ｇなどの構成も実施例１と同じである。挟持片７ｈ、７ｈは、ステンレス板をクランク状に折り曲げたもので、取付部７ｉ、７ｉと挟持部７ｊ、７ｊを有し、取付部７ｉ、７ｉをスポット溶接７ｌにより梁部材７ｂ、７ｂの上面側に溶着している。挟持片７ｈ、７ｈは、挟持部７ｊ、７ｊと梁部材７ｂ、７ｂとの間の間隙６ｋ、６ｋにフィルタ８の折り曲げた縁側８ａを保持する。ここでは、挟持片７ｈ、７ｈと梁部材７ｂ、７ｂの間に塗料を残り難くし、挟持片７ｈ、７ｈの挟持部７ｊ、７ｊと梁部材７ｂ、７ｂの間にフィルタ８の縁側８ａ、８ａを挿入し易くするために、挟持片７ｈ、７ｈの挟持部７ｊ、７ｊと梁部材７ｂ、７ｂの間隙を大きく確保している。しかし、挟持片７ｈ、７ｈの挟持部７ｊ、７ｊの先端を梁部材７ｂ、７ｂに対して弾性的に押し当てて、挟持片７ｈ、７ｈの挟持部７ｊ、７ｊと梁部材７ｂ、７ｂの間にフィルタ８の縁側８ａ、８ａを積極的に挟み込むものでも良い。
【００３６】
実施例２では、挟持片７ｈ、７ｈが取り付けられている以外は実施例１と同一である。このため、実施例１と同様に、摘み部材７ｄの摘み部７ｅを摘まんで実施例１のフィルタ装置４を塗料供給容器２に対して簡単に取り付けることができる。また、使用済みのフィルタ保持部材７は、実施例１の塗料供給容器２の開口部２ａから挿入した指で摘み部７ｅを摘まんで、塗料供給容器２から上方へ簡単に取り出すことができる。そして、フィルタ保持部材７の取り外し時に、挟持片７ｈ、７ｈに保持されることにより、フィルタ保持部材７からフィルタ８が脱落し難くなっている。フィルタ保持部材７を実施例１の塗料供給容器２から上方へ取り出す際に、フィルタ８が塗料供給容器２に貼り付いて残ってしまうことが少なくなっている。
【実施例３】
【００３７】
図７は実施例３を示し、この実施例３に係るフィルタ装置のフィルタ保持部材９とフィルタ１０を示す。実施例１の紙製のものに替えてフィルタ１０として金網を用いているが、他の構成即ち中央支持部９ａ、梁部材９ｂ、枠部材９ｃ、摘み部材９ｄ、及び摘み部９ｅは、実施例１或は２のものと同じである。このフィルタ１０として他にも合成樹脂製の網を用いても良い。この実施例３の金網製のフィルタ１０は、枠部材９ｃに直に溶着するか、枠部材９ｃにさらに枠部材を重ねて固着しても良い。固着させる位置は、枠部材９ｃの上下を問わない。この固着の方法としては、溶着、ビス止め、カシメなどその他の公知方法がある。
【００３８】
このように構成すると、フィルタ１０は実施例１或は２のもののように、使い捨てではないが、フィルタ装置の塗料供給容器への着脱作業が容易であるという利点がある。
【００３９】
尚、以上の各実施例においては、塗料供給容器が円筒状を呈したものを示したが、角筒状その他の形状のものであってもよい。その形状によってフィルタ装置の枠部材の形状が異なることになる。縮径部の形状は漏斗状のものを示したが、この形状に限定されない。それは塗料供給容器の開口部から挿入したフィルタ保持部材の枠部材がその外周と縮径部との間に間隙が生じないように保持する形状のものであれば足りる。また、梁部材として十文字状に交差した４本のものを示したが、２本や３本或は４本以上のものであっても良い。要するに各梁部材の間の空間部を介して塗料が通過できる構成であれば足りる。
【産業上の利用可能性】
【００４０】
実施例１、２及び３に係る本発明によれば、塗料供給容器にフィルタ装置を取り付けているので、塗料がフィルタによって濾過され、塗装装置の目詰まりを防止し、塗装品質の高い塗装が可能な塗装装置を提供することができる。加えて、塗料供給容器内に対してフィルタ装置を簡単に取り付け／取り外しすることができるので、塗装装置のフィルタ交換等に費やす時間を削減して作業コストを下げ、生産性の高い塗装装置を提供することができるものである。
【符号の説明】
【００４１】
１  塗装装置
２  塗料供給容器
２ａ  開口部
２ｂ  円筒部
２ｃ  縮径部
２ｄ  ナット
２ｅ  供給部
２ｈ  蓋
２ｉ  スリーブ
３  スプレイガン
４  フィルタ装置
５、８、１０  フィルタ
５ａ  縁部
６、７、９  フィルタ保持部材
６ａ、７ａ、９ａ  中央支持部
６ｂ、７ｂ、９ｂ  梁部材
６ｃ、７ｃ、９ｃ  枠部材
６ｄ、７ｄ、９ｄ  摘み部材
６ｅ、７ｅ、９ｅ  摘み部
６ｆ  雄ネジ部
６ｇ  雌ネジ部
７ｆ  雄ネジ部
７ｇ  雌ネジ部
７ｈ  挟持片
７ｉ  取付部
７ｊ  挟持部
７ｋ  間隙
１１  ガン本体
１１ａ  ＯＮ／ＯＦＦ弁
１１ｂ  ニードル弁
１２  引き金
１３  空気キャップ
１４  空気供給口
１５  圧力調整部
１６  エアコンプレッサ
１８  塗料ノズル
１８ａ  貯留部
１８ｂ  出口
１８ｃ  空気噴射口
【図１】
2020108871.tif 000003
【図２】
2020108871.tif 000004
【図３】
2020108871.tif 000005
【図４】
2020108871.tif 000006
【図５】
2020108871.tif 000007
【図６】
2020108871.tif 000008
【図７】
2020108871.tif 000009